(57)【要約】【課題】側顔部の頬に当接の跡が残ることを抑制すると共に、髪の毛にも当接の跡が残ることを抑制し、さらに、眼鏡の着脱をスムーズに行うことができ、且つ、装着者の頭部に的確にフィットさせることができる、鼻パッドの有無に関わらず眼鏡全体を支持することができる頬骨弓支持部材及びそれを備える眼鏡を提供すること。【解決手段】本発明は、眼鏡１００のフロント部Ｆの両端のヒンジ部Ｈにそれぞれ取り付けられ、フロント部Ｆを支持するための頬骨弓支持部材１０であって、前後方向に延びる本体部１と、該本体部１の中腹部１ｂに取り付けられた側面視で後方斜め下方向に突出した複数の支持部２と、を備え、支持部２が合成樹脂からなり、支持部２同士の間には、空隙部３が設けられ、装着者が眼鏡１００を装着した状態で、支持部２が該装着者の頬骨弓Ｙに支持されるようになっている頬骨弓支持部材１０である。【選択図】図１
2020086184.tif 000002
【特許請求の範囲】
【請求項１】
眼鏡のフロント部の両端のヒンジ部にそれぞれ取り付けられ、前記フロント部を支持するための頬骨弓支持部材であって、
前後方向に延びる本体部と、
該本体部の中腹部に取り付けられた側面視で後方斜め下方向に突出した複数の支持部と、
を備え、
前記支持部が合成樹脂からなり、
前記支持部同士の間には、空隙部が設けられ、
装着者が前記眼鏡を装着した状態で、前記支持部が該装着者の頬骨弓に支持されるようになっている頬骨弓支持部材。
【請求項２】
前記ヒンジ部に取り付けられた針金状のテンプル部を介して取り付けられ、
前記本体部には前記テンプル部を挿入可能な中空部が設けられており、
装着者が前記眼鏡を装着した場合に、前記本体部の前部及び前記中腹部が直線状であり、前記本体部の後部が前記装着者の頭部に沿うように内側に湾曲している請求項１記載の頬骨弓支持部材。
【請求項３】
前記本体部の前端には、前記ヒンジ部に取り付け可能な取り付け部が設けられており、
装着者が前記眼鏡を装着した場合に、前記本体部の前部及び前記中腹部が直線状であり、前記本体部の後部が前記装着者の頭部に沿うように内側に湾曲している請求項１記載の頬骨弓支持部材。
【請求項４】
前記複数の支持部のうち、前側の支持部が後側の支持部よりも長くなっている請求項１〜３のいずれか１項に記載の頬骨弓支持部材。
【請求項５】
前記複数の支持部の先端部をそれぞれ結ぶ第１線が直線状であり、
該第１線と、前記本体部の前部及び中腹部と平行な第２線とのなす角度が、側面視で  ５〜２５°である請求項１〜４のいずれか１項に記載の頬骨弓支持部材。
【請求項６】
前記複数の支持部が、前記本体部の中腹部から内側の斜め下方に向けて取り付けられ、
前記複数の支持部のうちの少なくとも１つが、外側に向けて湾曲している請求項１〜５のいずれか１項に記載の頬骨弓支持部材。
【請求項７】
一対のレンズを有するフロント部と、
該フロント部の両端にそれぞれ取り付けられたヒンジ部と、
該ヒンジ部に取り付けられた針金状のテンプル部と、
該テンプル部に取り付けられた請求項２記載の頬骨弓支持部材と、
を備える眼鏡。
【請求項８】
一対のレンズを有するフロント部と、
該フロント部の両端にそれぞれ取り付けられたヒンジ部と、
該ヒンジ部に取り付けられた請求項３記載の頬骨弓支持部材と、
を備える眼鏡。
【発明の詳細な説明】
【技術分野】
【０００１】
本発明は、頬骨弓支持部材及びそれを備える眼鏡に関し、更に詳しくは、鼻パッドの有無に関わらず眼鏡全体を支持することができる頬骨弓支持部材及びそれを備える眼鏡に関する。
【背景技術】
【０００２】
眼鏡は一般に、一対のレンズを有するフロント部と、該フロント部の両側に、ヒンジ部を介して取り付けられたテンプル部と、該テンプル部に取り付けられたモダン部とを備えている。
そして、その眼鏡を装着者が装着すると、フロント部に設けられた鼻パッドが装着者の鼻に当接され、モダン部が装着者の頭部を挟持すると共に装着者の耳に引っ掛けられることにより、当該眼鏡が支持されるようになっている。
【０００３】
ところで、眼鏡は、上述したように、その重量を主に鼻パッドとモダン部で負担しているため、鼻パッドにかかる重量負荷が比較的大きい。このため、装着者の鼻には、鼻パッドの跡が付いたり、場合によっては、鼻パッドとの当接部分が炎症を引き起こす恐れがある。
【０００４】
それに対し、鼻パッドへの負荷を軽減するために、モダン部が装着者の頭部をしっかり把持するように設計された眼鏡が開発されている。
例えば、フロント部と該フロント部に取り付けられたテンプル本体部とを備え、該テンプル本体部に補助テンプル片が取り付けられており、テンプル本体部と補助テンプル片とにより頬骨と後頭部と耳部に支持される鼻パッド無し眼鏡が知られている（例えば、特許文献１参照）。
また、フロント部と該フロント部に取り付けられたテンプル本体部とを備え、該テンプル本体部にテンプルパット体が脱着自在に取り付けられており、該テンプルパット体とテンプル本体部の耳掛け部（モダン部）とにより、こめかみ部と耳部に支持される鼻パッド無し眼鏡が知られている（例えば、特許文献２参照）。
また、左右一対のレンズを有するフロント部と、該フロント部の両端から後方に延びるサイド部材とを備えた眼鏡であって、サイド部材が、テンプル部と、該テンプル部に取り付けられたモダン部とからなり、サイド部材には、下方に延びる支持部が設けられており、該支持部が、使用者の側顔部に当接される当接部と、該当接部とサイド部材とを連結する連結部とを有し、連結部が水平外側方向に変形する形状弾性体である眼鏡が知られている（例えば、特許文献３参照）。
【先行技術文献】
【特許文献】
【０００５】
【特許文献１】特開２０１５−３８６０８号公報
【特許文献２】特開２０１６−８０９９２号公報
【特許文献３】登録実用新案第３１９９８３２号公報
【発明の概要】
【発明が解決しようとする課題】
【０００６】
しかしながら、上記特許文献１記載の鼻パッド無し眼鏡においては、支持体である補助テンプル片が側顔部を押圧する必要があり、上記特許文献２記載の鼻パッド無し眼鏡においては、支持体であるテンプルパット体が側顔部を押圧する必要があり、上記特許文献３の眼鏡においては、支持体である当接部が側顔部を押圧する必要があるため、いずれも、側顔部の頬に当接跡が残ったり、側顔部に髪の毛がある場合は当該髪の毛が邪魔になるという欠点がある。
【０００７】
すなわち、例えば、これらの支持体が側顔部の頬を押圧する場合は、頬に当接跡が残り、髪の毛の上から側顔部を押圧する場合は、支持体が、その髪の毛により、側顔部を押圧している位置からずれ易くなるという問題がある。また、髪の毛に、支持体による押圧の跡が残り、髪の毛を痛める恐れもある。
一方、支持体が髪の毛を極力かき分けて側顔部を押圧する場合は、眼鏡を着脱する際に、支持体が、髪の毛が引っ掛かるという問題がある。この場合、眼鏡の着脱がし難くなり、場合によっては、支持体が、髪の毛等に引っ掛かって、破損する恐れもある。
【０００８】
また、特許文献１〜３に記載の眼鏡においては、支持体が、側顔部を一応押圧するものの、頭部の形状には個人差があるため、眼鏡の重量を負担するには不十分となることがある。この場合、これらの眼鏡は、頭部におけるモダン部のフィット感が極めて悪くなり、眼鏡がずれ易くなったり、極端な場合は頭痛が生じる恐れもある。
【０００９】
本発明は上記事情に鑑みてなされたものであり、側顔部の頬に当接の跡が残ることを抑制すると共に、髪の毛にも当接の跡が残ることを抑制し、さらに、眼鏡の着脱をスムーズに行うことができ、且つ、装着者の頭部に的確にフィットさせることができる、鼻パッドの有無に関わらず眼鏡全体を支持することができる頬骨弓支持部材及びそれを備える眼鏡を提供することを目的とする。
【課題を解決するための手段】
【００１０】
本発明者は、上記課題を解決するため鋭意検討したところ、複数の支持部を側面視で後方斜め下方向に延びる構成とし、且つ、支持部同士の間には空隙部を設け、更に、これらの支持部が装着者のモミアゲ部の頬骨弓に支持されるようにすることにより、上記問題点を解決できることを見出し、本発明を完成させるに至った。
【００１１】
本発明は、（１）眼鏡のフロント部の両端のヒンジ部にそれぞれ取り付けられ、フロント部を支持するための頬骨弓支持部材であって、前後方向に延びる本体部と、該本体部の中腹部に取り付けられた側面視で後方斜め下方向に突出した複数の支持部と、を備え、支持部が合成樹脂からなり、支持部同士の間には、空隙部が設けられ、装着者が眼鏡を装着した状態で、支持部が該装着者の頬骨弓に支持されるようになっている頬骨弓支持部材に存する。
【００１２】
本発明は、（２）ヒンジ部に取り付けられた針金状のテンプル部を介して取り付けられ、本体部にはテンプル部を挿入可能な中空部が設けられており、装着者が眼鏡を装着した場合に、本体部の前部及び中腹部が直線状であり、本体部の後部が装着者の頭部に沿うように内側に湾曲している上記（１）記載の頬骨弓支持部材に存する。
【００１３】
本発明は、（３）本体部の前端には、ヒンジ部に取り付け可能な取り付け部が設けられており、装着者が眼鏡を装着した場合に、本体部の前部及び中腹部が直線状であり、本体部の後部が装着者の頭部に沿うように内側に湾曲している上記（１）記載の頬骨弓支持部材に存する。
【００１４】
本発明は、（４）複数の支持部のうち、前側の支持部が後側の支持部よりも長くなっている上記（１）〜（３）のいずれか１つに記載の頬骨弓支持部材に存する。
【００１５】
本発明は、（５）複数の支持部の先端部をそれぞれ結ぶ第１線が直線状であり、該第１線と、本体部の前部及び中腹部と平行な第２線とのなす角度が、側面視で５〜２５°である上記（１）〜（４）のいずれか１つに記載の頬骨弓支持部材に存する。
【００１６】
本発明は、（６）複数の支持部が、本体部の中腹部から内側の斜め下方に向けて取り付けられ、複数の支持部のうちの少なくとも１つが、外側に向けて湾曲している上記（１）〜（５）のいずれか１つに記載の頬骨弓支持部材に存する。
【００１７】
本発明は、（７）一対のレンズを有するフロント部と、該フロント部の両端にそれぞれ取り付けられたヒンジ部と、該ヒンジ部に取り付けられた針金状のテンプル部と、該テンプル部に取り付けられた上記（２）記載の頬骨支持部材と、を備える眼鏡に存する。
【００１８】
本発明は、（８）一対のレンズを有するフロント部と、該フロント部の両端にそれぞれ取り付けられたヒンジ部と、該ヒンジ部に取り付けられた上記（３）記載の頬骨弓支持部材と、を備える眼鏡に存する。
【発明の効果】
【００１９】
本発明の頬骨弓支持部材においては、複数の支持部を側面視で後方斜め下方向に突出した構成とし、支持部同士の間に空隙を設けることにより、当該眼鏡の着脱時に、髪の毛が邪魔にならず、自然に空隙部から逃げるようになっているので、支持部に引っ掛かることを抑制することができる。これにより、眼鏡の着脱をスムーズに行うことが可能となる。
また、髪の毛を空隙部から逃がしているので、髪の毛に支持部による当接の跡が残ることを防止することができる。
さらに、支持部を、髪の毛で隠すことも可能となる。
【００２０】
本発明の頬骨弓支持部材においては、複数の支持部を、装着者の頬骨弓が下から支持することにより、鼻パッドの有無に関わらず、眼鏡の重量を十分に負担することが可能となる。
このとき、支持部が合成樹脂からなるものであるので、頬骨弓の位置や形状に個人差があっても、弾性変形又は塑性変形、若しくは、熱可塑性樹脂であれば加熱して軟化させることにより支持部の位置を対応させることで、確実に、頬骨弓が支持部を支持することが可能となる。これにより、頭部における眼鏡のフィット感が優れるものとなる。
また、支持部の中間部分が頬骨弓の上方である側顔部のモミアゲ部に当接することになるので、側顔部の頬に当接の跡が残ることを防止することができる。
【００２１】
本発明の頬骨弓支持部材においては、本体部に、針金状のテンプル部を挿入可能な中空部が設けられている場合、当該テンプル部に対して、着脱自在とすることができる。
なお、本体部の前部及び中腹部を直線状とすることにより、針金状のテンプル部を挿入し易くなる。
これにより、テンプル部を軸として、頬骨弓支持部材を回転させることにより、支持部の角度を調整することも可能となる。
【００２２】
本発明の頬骨弓支持部材においては、本体部に、ヒンジ部を取り付け可能な取り付け部が設けられている場合、当該ヒンジ部に対して、着脱自在とすることができる。
また、この場合、テンプル部を有していないので、眼鏡の製造において、部品点数を減らすことができる。
【００２３】
本発明の頬骨弓支持部材においては、本体部の後部を装着者の頭部に沿うように内側に湾曲させることにより、眼鏡のフィット感をより向上させることができる。
【００２４】
本発明の頬骨弓支持部材においては、複数の支持部のうち、前側の支持部を後側の支持部よりも長くすることにより、これらの支持部を、一般に水平面に対して傾斜している頬骨弓の上側に適切に支持させることが可能となる。
また、眼鏡は、フロント部の重量が比較的大きいため、前側の支持部を確実に頬骨弓のモミアゲ部に当接させることにより、眼鏡の装着安定性を向上させることができる。
【００２５】
本発明の頬骨弓支持部材においては、複数の支持部の先端部をそれぞれ結ぶ第１線を直線状とすることにより、眼鏡の装着の際に髪の毛が引っ掛かることをより軽減することができる。
また、該第１線と、本体部の前部及び中腹部と平行な第２線とのなす角度を、側面視で５〜２５°とすることにより、頬骨弓の上側に適切に支持させることが可能となる。
【００２６】
本発明の頬骨弓支持部材においては、複数の支持部が、本体部の中腹部から内側の斜め下方に向けて取り付けられ、且つ、複数の支持部のうちの少なくとも１つが、外側に向けて湾曲しているので、支持部の先端部以外の部分も、頬骨弓の上方の側顔部のモミアゲ部に当接され易くなる。このため、頬骨弓支持部材においては、支持部が頬骨弓に支持されるだけでなく、側顔部のモミアゲ部にも当接されるので、眼鏡のフィット感をより向上させることができる。
【００２７】
本発明の眼鏡においては、上述した頬骨弓支持部材を備えるので、装着者の頭部にフィットさせることができると共に、鼻パッドの有無に関わらず眼鏡全体を支持することが可能となる。
【図面の簡単な説明】
【００２８】
【図１】図１の（ａ）は、第１実施形態に係る頬骨弓支持部材を示す側面図であり、図１の（ｂ）は、第１実施形態に係る頬骨弓支持部材を示す上面図であり、図１の（ｃ）は、第１実施形態に係る頬骨弓支持部材を示す正面図である。
【図２】図２は、第１実施形態に係る頬骨弓支持部材を用いた眼鏡を装着した状態の頭部と眼鏡との位置関係を説明するための側面図である。
【図３】図３は、第１実施形態に係る眼鏡を示す上面図である。
【図４】図４の（ａ）及び（ｂ）は、第２実施形態に係る頬骨弓支持部材を示す側面図である。
【図５】図５は、第２実施形態に係る眼鏡を示す上面図である。
【図６】図６は、他の実施形態に係る頬骨弓支持部材を示す側面図である。
【図７】図７は、他の実施形態に係る頬骨弓支持部材を示す側面図である。
【図８】図８の（ａ）〜（ｄ）は、他の実施形態に係る頬骨弓支持部材を示す側面図である。
【発明を実施するための形態】
【００２９】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００３０】
本発明に係る頬骨弓支持部材は、眼鏡のフロント部の両端のヒンジ部にそれぞれ、直接的又は間接的に取り付けて用いられる。すなわち、頬骨弓支持部材は、いわゆるテンプル部又はモダン部に相当する部材である。
頬骨弓支持部材においては、装着者が、頬骨弓支持部材が取り付けられた眼鏡を装着した状態で、頬骨弓支持部材の支持部が装着者の頬骨弓に支持されるようになっている。
【００３１】
（第１実施形態）
まず、本発明に係る頬骨弓支持部材の第１実施形態について説明する。
図１の（ａ）は、第１実施形態に係る頬骨弓支持部材を示す側面図であり、図１の（ｂ）は、第１実施形態に係る頬骨弓支持部材を示す上面図であり、図１の（ｃ）は、第１実施形態に係る頬骨弓支持部材を示す正面図である。
図１の（ａ）及び図１の（ｂ）に示すように、第１実施形態に係る頬骨弓支持部材１０は、本体部１と、該本体部１の中腹部１ｂに取り付けられた複数の支持部２と、を備える。
第１実施形態に係る頬骨弓支持部材１０は、本体部１に支持部２が取り付けられ、本体部１及び支持部２が一体となったシンプルな構成となっている。
【００３２】
ここで、本明細書においては、頬骨弓支持部材１０が取り付けられた眼鏡を装着者が装着した場合の顔側を「前」、後頭部側を「後」とする。すなわち、図１の（ａ）及び図１の（ｂ）でいう紙面左側を「前」とし、紙面右側を「後」としている。
また、頬骨弓支持部材１０に対して、装着者の頭部側を「内側」とし、その反対側を「外側」としている。
【００３３】
頬骨弓支持部材１０において、本体部１は、前後方向に延びる棒状となっている。なお、便宜的に、本体部１の前側を前部１ａ、後側を後部１ｃ、前部１ａ及び後部１ｃの間の部分を中腹部１ｂとする。すなわち、本体部１は、連続する前部１ａ、中腹部１ｂ及び後部１ｃからなっている。
【００３４】
本体部１において、前部１ａ及び中腹部１ｂは、前後方向に延びる直線状となっている。
また、後部１ｃは、上面視で、中腹部１ｂの後端から装着者の頭部に沿うように内側に湾曲しており（図１の（ｂ）参照）、且つ、側面視で、後部１ｃの中間部分から、下方に向けて屈曲している（図１の（ａ）参照）。すなわち、後部１ｃは、内側に屈曲し、更に後方に行くに従って、内側の斜め下方向に屈曲した構造となっている。なお、上面視において、後部１ｃの内側に湾曲した部分の曲率半径は、Ｒ２０〜Ｒ１００であることが好ましい。
これにより、頬骨弓支持部材１０は、耳に引っ掛けられる共に、頭部に、よりフィットさせることが可能となる。
【００３５】
頬骨弓支持部材１０においては、本体部１に、テンプル部を挿入するための中空部３が設けられている。
このとき、頬骨弓支持部材１０においては、上述したように、少なくとも前部１ａ及び中腹部１ｂが直線状となっているため、テンプル部を中空部３に挿入し易いという利点がある。
ここで、中空部３は、テンプル部の形状に対応した形状となっており、前部１ａの前端から、中腹部１ｂを介して、後部１ｃの後端まで貫通するように、連続して設けられている。これにより、テンプル部が、確実に中空部３に取り付けられると共に、テンプル部に対する頬骨弓支持部材１０の前後方向の位置を自由に調整することができる。なお、テンプル部の後端部や本体部１１の前端部又は後端部を最適な長さに切断等して調節することも可能である。また、貫通した中空部３の後端部に錘を挿入することで、眼鏡の重量バランスを調整することもできる。
【００３６】
頬骨弓支持部材１０は、例えば、眼鏡のフロント部の両端のヒンジ部に水平面で回動可能となるように取り付けられたテンプル部に対し、本体部１の中空部３を嵌め込むことにより、当該テンプル部を介してフロント部に取り付けられる。
また、頬骨弓支持部材１０は、テンプル部に対して、着脱自在となっている。このため、嗜好に合わせて本体部１のデザインを変更することができる。
また、テンプル部を軸として、頬骨弓支持部材を回転させることが可能である。これにより、支持部の突出方向を左右（内側又は外側）に位置調整することも可能となっている。
【００３７】
ここで、本体部１は、合成樹脂又は金属からなる。
かかる合成樹脂としては、熱可塑性樹脂や熱硬化性樹脂が挙げられ、金属としては、ステンレス、チタン合金等が挙げられる。
【００３８】
頬骨弓支持部材１０において、支持部２は、本体部１に３本取り付けられている。なお、便宜的に、前側の支持部２を第１支持部２ａ、中間の支持部２を第２支持部２ｂ、後側の支持部２を第３支持部２ｃとする。
第１支持部２ａ、第２支持部２ｂ及び第３支持部２ｃは、本体部１の中腹部１ｂに、側面視で後方斜め下方向に突出するように取り付けられている。
これにより、頬骨弓支持部材１０においては、眼鏡の脱着時に、髪の毛を支持部２に沿って逃がしながら、支持部２が抜けることになるので、支持部２に髪の毛が引っ掛かることを防止することができる。
【００３９】
頬骨弓支持部材１０において、第１支持部２ａ、第２支持部２ｂ及び第３支持部２ｃは、中腹部１ｂに、等間隔で取り付けられている。すなわち、第１支持部２ａと第２支持部２ｂとの間、及び、第２支持部２ｂと第３支持部２ｃとの間には、それぞれ、空隙部が設けられている。
したがって、頬骨弓支持部材１０においては、眼鏡の装着時に、髪の毛が空隙部に逃げることになる。
【００４０】
このことにより、頬骨弓支持部材１０においては、髪の毛に支持部２による当接の跡が残ることを防止でき、且つ、支持部２を、髪の毛で隠すことも可能となる。
また、頬骨弓部材１０においては、例えば、前側の支持部２の外側及び内側を通る髪の毛を、空隙部を介して、共に後側の支持部２で抑えつけることにより、前側の支持部２を髪の毛で挟み込むことができ、且つ、空隙部に髪の毛の根元をすくい集めることができるので、髪の毛の抵抗力が働き、頬骨弓支持部材１０がずれることを、より防止することが可能となる。
【００４１】
ここで、頬骨弓支持部材１０においては、前側の支持部２が後側の支持部２よりも長くなっている。
具体的には、第１支持部２ａが第２支持部２ｂよりも長く、第２支持部２ｂが第３支持部２ｃよりも長くなっている。
これにより、頬骨弓支持部材１０においては、眼鏡の装着時に髪の毛が支持部２に引っ掛かることを抑制することができる。
すなわち、頬骨弓支持部材１０においては、各支持部２が後方に傾斜しており、且つ、前側の支持部２が後側の支持部２よりも長くなっているので、支持部２全体（空隙部を含む）が側面視で、本体部１を底辺とする逆三角形状となっている。このため、眼鏡の装着時だけでなく、脱着時も髪の毛が邪魔にならず、スムーズに逃がすことが可能となっている。
【００４２】
図２は、第１実施形態に係る頬骨弓支持部材を用いた眼鏡を装着した状態の頭部と眼鏡との位置関係を説明するための側面図である。
図２に示すように、頬骨弓支持部材１０においては、第１支持部２ａ、第２支持部２ｂ及び第３支持部２ｃが、装着者の頬骨弓Ｙの上方のモミアゲ部に当接されると共に、これらの先端が頬骨弓Ｙに当接され、該頬骨弓Ｙにより下から支持される。
このように、頬骨弓支持部材１０においては、支持部２の中間部分が頬骨弓の上方に当接することになるので、頬に当接の跡が残ることを防止することができる。
また、通常、頬骨弓Ｙは耳よりも前方に位置しているため、支持部２が頬骨弓Ｙにより下から支持されることにより、眼鏡のフロント部の重量を負担することが可能となる。
これらのことから、頬骨弓支持部材１０が取り付けられた眼鏡は、鼻パッドの有無に関わらず、装着安定性に優れるものとなる。
【００４３】
このように、頬骨弓支持部材１０においては、支持部２が装着者の頬骨弓Ｙに支持されると共に当該頬骨弓Ｙの上方の側顔部のモミアゲ部に当接され、本体部１の後部１ｃが耳に掛けられ、且つ、後部１ｃが頭部に沿うように内側に湾曲している。
したがって、頬骨弓支持部材１０は、装着者の頭部に沿うように、少なくとも３箇所で当接支持されることになるので、これを備える眼鏡は、フィット感が極めて優れるものとなる。
【００４４】
また、上述したように、第３支持部２ｃ、第２支持部２ｂ、第１支持部２ａの順で長くすることにより、通常、水平面に対して後方が上になるように傾斜している頬骨弓の上側に、それぞれを適切に支持させることが可能となる。なお、第１支持部２ａ、第２支持部２ｂ及び第３支持部２ｃの全ての先端を同時に頬骨弓に当接させることができない場合は、少なくとも、第１支持部２ａを優先して当接させることが好ましい。なお、各支持部２の先端を切断等して長さを調整することも可能である。
【００４５】
図１の（ａ）、図１の（ｂ）及び図１の（ｃ）に戻り、頬骨弓支持部材１０において、第１支持部２ａ、第２支持部２ｂ及び第３支持部２ｃは、本体部１の中腹部１ｂから内側の斜め下方に向けて取り付けられ、且つ、外側に向けて湾曲している。このため、頬骨弓支持部材１０においては、支持部２が頬骨弓Ｙに支持されるだけでなく、側顔部のモミアゲ部にも当接されるので、眼鏡のフィット感をより向上させることができる。
【００４６】
このとき、外側に向けて湾曲した、第１支持部２ａ、第２支持部２ｂ及び第３支持部２ｃの曲率半径はＲ１０〜Ｒ６０であることが好ましい。なお、第１支持部２ａ、第２支持部２ｂ及び第３支持部２ｃの曲率半径は、それぞれ、同一であっても、異なっていてもよい。
その中でも、第１支持部２ａの曲率半径が、第２支持部２ｂの曲率半径よりも大きく、第２支持部２ｂの曲率半径が、第３支持部２ｃの曲率半径よりも大きいことが好ましい。これにより、長さが異なる、第１支持部２ａ、第２支持部２ｂ及び第３支持部２ｃを、それぞれ、頬骨弓の上方の側顔部のモミアゲ部に当接させ易くなる。
【００４７】
頬骨弓支持部材１０においては、第１支持部２ａ、第２支持部２ｂ及び第３支持部２ｃの各先端部を結ぶ第１線Ａが直線状となっている。このため、眼鏡の装着の際に髪の毛が支持部２に引っ掛かることをより軽減することができる。
そして、側面視で、第１線Ａと、本体部１の前部１ａ及び中腹部１ｂと平行な第２線Ｂとのなす角度θ１は、５〜２５°であることが好ましい（図１の（ａ）参照）。
ここで、側面視で、第１線Ａと第２線Ｂとのなす角度θ１が、５°未満若しくは２５°を超えると、角度θ１が上記範囲内にある場合と比較して、頬骨弓の上側に適切に支持させることができず眼鏡がずれ易くなる欠点がある。
【００４８】
また、上面視で、第１線Ａと、本体部１の前部１ａ及び中腹部１ｂと平行な第２線Ｂとのなす角度θ２は、−５〜５°であることが好ましい（図１の（ｂ）参照）。
ここで、上面視で、第１線Ａと第２線Ｂとのなす角度θ２が、−５°未満若しくは５°を超えると、角度θ２が上記範囲内にある場合と比較して、頬骨弓の上側に適切に支持させることができず眼鏡がずれ易くなる欠点がある。
【００４９】
頬骨弓支持部材１０において、支持部２（第１支持部２ａ、第２支持部２ｂ及び第３支持部２ｃ）は、いずれも、合成樹脂からなる。このため、頬骨弓Ｙの位置や形状に個人差があっても、支持部２の位置を対応させることで、確実に、頬骨弓Ｙが支持部２を支持することが可能となる。これにより、頭部における眼鏡のフィット感が優れるものとなる。
【００５０】
具体的には、支持部２は、熱可塑性樹脂からなるものであることが好ましい。かかる熱可塑性樹脂としては、ポリエチレン又はポリプロピレン等のポリオレフィン、ポリ塩化ビニル、ポリスチレン、ポリ酢酸ビニル、ポリウレタン、テフロン（登録商標）、ＡＢＳ樹脂、ＡＳ樹脂、アクリル樹脂、ポリアミド、ポリアセタール、ポリカーボネート、ポリエステル、変性ポリフェニレンエーテル、ポリフェニレンスルファイド、ポリサルフォン、ポリエーテルサルフォン、非晶ポリアリレート、ポリエーテルエーテルケトン、ポリイミド、ポリアミドイミド、セルロースプロピオネート、セルロースアセテート等が挙げられる。支持部２が熱可塑性樹脂であると、加熱して軟化させることにより、支持部２の向きや曲率半径を容易に変更することができる。
【００５１】
次に、頬骨弓支持部材１０を備える眼鏡の第１実施形態について説明する。
図３は、第１実施形態に係る眼鏡を示す上面図である。
図３に示すように、第１実施形態に係る眼鏡１００は、左右一対のレンズＬを有するフロント部Ｆと、フロント部Ｆの両側にそれぞれ取り付けられたヒンジ部Ｈと、ヒンジ部Ｈに取り付けられたテンプル部Ｔと、該テンプル部Ｔに取り付けられた頬骨弓支持部材１０とを備える。
【００５２】
フロント部Ｆは、左右一対のレンズＬと、両レンズＬを架橋するブリッジとを有する。なお、この場合、鼻パッドは有していない。
フロント部Ｆは、その両側に、ヒンジ部Ｈを介してテンプル部Ｔが水平面で折畳み可能となるように取付けられている。
テンプル部Ｔは、針金状であり、頬骨弓支持部材１０の中空部に挿入されている。
【００５３】
眼鏡１００は、上述した頬骨弓支持部材１０を備えるので、装着者の頭部に少なくとも３箇所で当接支持されることになり、装着者の頭部にフィットさせることが可能となる。
また、頬骨弓支持部材１０の支持部２が装着者の頬骨弓Ｙにより下から支持されるので、頬骨弓Ｙが眼鏡１００の重量を十分に負担することができる。その結果、鼻パッドの有無に関わらず眼鏡１００全体を支持することが可能となる。
【００５４】
（第２実施形態）
次に、本発明に係る頬骨弓支持部材の第２実施形態について説明する。
図４の（ａ）及び（ｂ）は、第２実施形態に係る頬骨弓支持部材を示す側面図である。なお、図４の（ａ）は、頬骨弓支持部材を外側から見た側面図であり、図４の（ｂ）は、頬骨弓支持部材を内側から見た側面図である。
図４の（ａ）及び（ｂ）に示すように、第２実施形態に係る頬骨弓支持部材２０は、本体部１１と、該本体部１１の中腹部１１ｂに取り付けられた複数の支持部２と、を備える。
第２実施形態に係る頬骨弓支持部材２０は、本体部１１に支持部２が取り付けられ、本体部１１及び支持部２が一体となったシンプルな構成となっている。
すなわち、第２実施形態に係る頬骨弓支持部材２０は、本体部１１の構造が異なること以外は、第１実施形態に係る頬骨弓支持部材１０と同じである。したがって、第２実施形態に係る頬骨弓支持部材２０における支持部２の説明は省略する。
【００５５】
頬骨弓支持部材２０において、本体部１は、前後方向に延びる板状となっている。なお、便宜的に、本体部１１の前側を前部１１ａ、後側を後部１１ｃ、前部１１ａ及び後部１１ｃの間の部分を中腹部１１ｂとする。すなわち、本体部１１は、連続する前部１１ａ、中腹部１１ｂ及び後部１１ｃからなっている。
【００５６】
本体部１１において、前部１１ａ、中腹部１１ｂ及び後部１１ｃは、前後方向に延びる直線状となっている。
また、後部１１ｃは、上面視で、中腹部１１ｂの後端から装着者の頭部に沿うように内側に湾曲している（図５参照）。なお、後部１１ｃは、下方には屈曲していない。このとき、上面視において、後部１１ｃの内側に湾曲した部分の曲率半径は、Ｒ２０〜Ｒ１００であることが好ましい。
これにより、頬骨弓支持部材２０は、耳に載置されると共に、頭部にフィットさせることが可能となる。
【００５７】
頬骨弓支持部材２０においては、本体部１１に、取り付け部１３が設けられている。
取り付け部１３は、前部１１ａの前端に設けられており、ヒンジ部に取り付け可能となっている。このため、頬骨弓支持部材２０は、例えば、眼鏡のフロント部の両端のヒンジ部に水平面で回動可能となるように取り付けられる。
また、頬骨弓支持部材２０は、ヒンジ部に対して、着脱自在となっている。このため、嗜好に合わせて本体部１１のデザインを変更することができる。
【００５８】
ここで、本体部１１は、合成樹脂又は金属からなる。
かかる合成樹脂としては、熱可塑性樹脂や熱硬化性樹脂が挙げられ、金属としては、ステンレス、チタン合金等が挙げられる。
【００５９】
次に、頬骨弓支持部材２０を備える眼鏡の第２実施形態について説明する。
図５は、第２実施形態に係る眼鏡を示す上面図である。
図５に示すように、第２実施形態に係る眼鏡１０１は、左右一対のレンズＬを有するフロント部Ｆと、フロント部Ｆの両側にそれぞれ取り付けられたヒンジ部Ｈと、ヒンジ部Ｈに取り付けられた頬骨弓支持部材２０とを備える。
【００６０】
フロント部Ｆは、左右一対のレンズＬと、両レンズＬを架橋するブリッジとを有する。なお、この場合、鼻パッドは有していない。
フロント部Ｆは、その両側に、ヒンジ部Ｈを介して頬骨弓支持部材２０が水平面で折畳み可能となるように取付けられている。
【００６１】
眼鏡１０１は、上述した頬骨弓支持部材２０を備えるので、装着者の頭部に少なくとも３箇所で当接支持されることになり、装着者の頭部にフィットさせることが可能となる。
また、頬骨弓支持部材２０の支持部２が装着者の頬骨弓Ｙにより下から支持されるので、頬骨弓Ｙが眼鏡１０１の重量を十分に負担することができる。その結果、鼻パッドの有無に関わらず眼鏡１０１全体を支持することが可能となる。
【００６２】
以上、本発明の好適な実施形態について説明したが、本発明は上記実施形態に限定されるものではない。
【００６３】
例えば、第１実施形態に係る頬骨弓支持部材１０においては、本体部１が、側面視で、後部１ｃの中間部分から下方に向けて屈曲しているが、必ずしも屈曲する必要はない。
図６は、他の実施形態に係る頬骨弓支持部材を示す側面図である。
図６に示すように、別の頬骨弓支持部材３０においては、本体部２１が、前後方向に直線状となっており、且つ、テンプル部を挿入するための中空部を有している。なお、支持部２については、第１実施形態に係る頬骨弓支持部材１０の支持部２と同じである。
【００６４】
第１実施形態に係る頬骨弓支持部材１０においては、中空部３が、本体部１の長さ方向に貫通しているが、貫通していなくてもよい。
図７は、他の実施形態に係る頬骨弓支持部材を示す側面図である。
図７に示すように、別の頬骨弓支持部材１０ａにおいては、中空部２３が、後部１ｃの途中まで設けられている。この場合、中空部２３の後端部とテンプル部の後端部との間に空間を設けることにより、テンプル部に対する頬骨弓支持部材１０ａの前後方向の位置を自由に調整することができる。
【００６５】
第１実施形態に係る頬骨弓支持部材１０においては、支持部２が、本体部１に３本取り付けられているが、本数はこれに限定されない。また、支持部２の構造もこれに限定されない。なお、第２実施形態に係る眼鏡１０１についても同様である。
【００６６】
図８の（ａ）〜（ｄ）は、他の実施形態に係る頬骨弓支持部材を示す側面図である。
図８の（ａ）に示すように、別の頬骨弓支持部材４０においては、前側の支持部３２ａが下方に行くほど幅広になる短冊状であり、中間の支持部３２ｂが下方に行くほど幅が狭くなる短冊状であり、後側の支持部３２ｃが下方に行くほど幅広になる短冊状となっている。
図８の（ｂ）に示すように、別の頬骨弓支持部材５０においては、板状の支持部４２に切り欠き部が２箇所設けられた構造となっている。この場合、当該切り欠き部の部分が上述した空隙部となる。
図８の（ｃ）に示すように、別の頬骨弓支持部材６０においては、各支持部５２に、滑り止めのための凸部５２１が２箇所設けられている。なお、かかる凸部５２１は、支持部５２の内側（頭部側）に設けられる。凸部５２１の代わりに凹部や貫通穴等を設けてもよい。
図８の（ｄ）に示すように、別の頬骨弓支持部材７０においては、支持部６２が基部６２１を介して本体部１に取り付けられている。この場合、支持部６２と基部６２１とは一体となっており、これを本体部１に対して、着脱自在とすることも可能である。また、基部６２１は、本体部１に対する前後方向の位置を調整することが可能である。
【００６７】
第１実施形態に係る頬骨弓支持部材１０においては、支持部２に、有底円筒状の樹脂キャップ等を取り付けることも可能である。これにより、支持部２の長さ調整、硬さ調整、摩擦力調整等を行うことができる。なお、第２実施形態に係る眼鏡１０１についても同様である。
【００６８】
第１実施形態に係る頬骨弓支持部材１０において、第１支持部２ａ、第２支持部２ｂ及び第３支持部２ｃは、全て外側に向けて湾曲しているが、必ずしも必須ではない。
頬骨弓支持部材１０においては、フィット感の観点から、第１支持部２ａ、第２支持部２ｂ及び第３支持部２ｃのうち、少なくとも１つが外側に向けて湾曲していることが好ましく、少なくとも前側の第１支持部２ａが外側に向けて湾曲していることがより好ましい。なお、第２実施形態に係る眼鏡１０１についても同様である。
【００６９】
第１実施形態に係る眼鏡１００は、鼻パッドを有していないが、鼻パッドを設けることも可能である。なお、第２実施形態に係る眼鏡１０１についても同様である。
【００７０】
第１実施形態に係る眼鏡１００において、レンズＬは、フレームに取り付けられたものであってもよく、フレームのみでレンズを備えないものであってもよい。なお、第２実施形態に係る眼鏡１０１についても同様である。
【産業上の利用可能性】
【００７１】
本発明の頬骨弓支持部材は、眼鏡のフロント部の両端に取り付けて用いられる。そして、頬骨弓支持部材が取り付けられた眼鏡は、近視用、老眼用、乱視用、ファッション用等の眼鏡として用いることができる。
本発明の頬骨弓支持部材及びそれを備える眼鏡によれば、髪の毛に当接の跡が残ることを抑制すると共に、眼鏡の着脱をスムーズに行うことができ、且つ、装着者の頭部に的確にフィットさせることができる。
【符号の説明】
【００７２】
１，１１，２１・・・本体部
１０，２０，３０，４０，５０，６０，７０・・・頬骨弓支持部材
１００，１０１・・・眼鏡
１ａ，１１ａ・・・前部
１ｂ，１１ｂ・・・中腹部
１ｃ，１１ｃ・・・後部
１３・・・取り付け部
２，４２，５２，６２・・・支持部
２ａ，３２ａ・・・第１支持部（支持部）
２ｂ，３２ｂ・・・第２支持部（支持部）
２ｃ，３２ｃ・・・第３支持部（支持部）
３，２３・・・中空部
５２１・・・凸部
６２１・・・基部
Ｌ・・・レンズ
Ｆ・・・フロント部
Ｈ・・・ヒンジ部
Ｔ・・・テンプル部
Ｙ・・・頬骨弓
【図１】
2020086184.tif 000003
【図２】
2020086184.tif 000004
【図３】
2020086184.tif 000005
【図４】
2020086184.tif 000006
【図５】
2020086184.tif 000007
【図６】
2020086184.tif 000008
【図７】
2020086184.tif 000009
【図８】
2020086184.tif 000010